(57)【要約】【課題】  米飯加工食品からの水分の流入を阻止し、シート状食品本来の食感や味を保つことができ、しかも、容易に開封することができる新規で斬新な米飯加工食品用包装材を提供する。【解決手段】  幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材において、前記内フィルムは、一端部同士が重ね合わされた二枚の分離フィルムと、該二枚の分離フィルムの一端部間に介設された中間フィルムとを備え、二枚の分離フィルムの一端部及び中間フィルムは、前記分離方向に対して交差方向に延びる直線状又は非直線状のシールラインを形成するように超音波シールされ、重ね合わされて互いに対向する面のうち、少なくとも何れか一つの面の少なくとも超音波シールされる領域にイージーピール性が付与されていることを特徴とする。【選択図】図１
2008207826.tif 000002
【特許請求の範囲】
【請求項１】
幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材において、前記内フィルムは、一端部同士が重ね合わされて並列に配設された二枚の分離フィルムと、該二枚の分離フィルムの一端部間に介設された中間フィルムとを備え、二枚の分離フィルムの一端部及び中間フィルムは、内フィルムの分離方向に対して交差方向に延びる直線状又は非直線状のシールラインを形成するように超音波シールされ、しかも、重ね合わされて互いに対向する面のうち、少なくとも何れか一つの面の少なくとも超音波シールされる領域にイージーピール性が付与されていることを特徴とする米飯加工食品用包装材。
【請求項２】
一方の分離フィルムは、一端部が中間フィルム側に折り返され、該一方の分離フィルムの折り返された一端部、及び中間フィルムの互いに対向する面のうち、少なくとも何れか一方の面にイージーピール性が付与されている請求項１に記載の米飯加工食品用包装材。
【請求項３】
一方の分離フィルムの折り返された一端部、他方の分離フィルムの一端部、及び、中間フィルムのうち、少なくとも一方の分離フィルムの折り返された一端部、及び中間フィルムが、該一方の分離フィルムの一端部の折り返しによって形成される稜線と前記シールラインとの間で、前記分離方向に対して交差方向に連続的又は断続的に弱シールされ、該弱シールされた部分が剥離可能に構成されている請求項２に記載の米飯加工食品用包装材。
【請求項４】
中間フィルムは、一端側が二枚の分離フィルムの一端部間に介在するとともに、他端側が一方の分離フィルムの一端部の折り返しによって形成される稜線よりも外方に延出するように設けられ、該中間フィルムの他端側が他方の分離フィルムに前記分離方向に対して交差方向に連続的又は断続的にシールされて固定されている請求項２又は３に記載の米飯加工食品用包装材。
【請求項５】
幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材において、前記内フィルムは、一端部同士が重ね合わされて並列に配設された二枚の分離フィルムを備え、二枚の分離フィルムの一端部は、内フィルムの分離方向に対して交差方向に延びる直線状又は非直線状のシールラインを形成するように超音波シールされ、しかも、重ね合わされて互いに対向する面のうち、少なくとも何れか一つの面の少なくとも超音波シールされる領域にイージーピール性が付与されていることを特徴とする米飯加工食品用包装材。
【請求項６】
一方の分離フィルムは、他方の分離フィルム側に一端部が折り返されている請求項５に記載の米飯加工食品用包装材。
【請求項７】
一方の分離フィルムの折り返された一端部、及び他方の分離フィルムの一端部が、該一方の分離フィルムの一端部の折り返しによって形成される稜線と前記シールラインとの間で、前記分離方向に対して交差方向に連続的又は断続的に弱シールされ、該弱シールされた部分が剥離可能に構成されている請求項６に記載の米飯加工食品用包装材。
【請求項８】
幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材の内フィルム用原反であって、重ね合わされた二枚の長尺フィルムと、該二枚の長尺フィルムの一端部間に介設された中間長尺フィルムとを備え、二枚の長尺フィルムの一端部及び中間長尺フィルムは、長尺方向に延びる直線状又は非直線状のシールラインを形成するように超音波シールされ、しかも、重ね合わされて互いに対向する面のうち、少なくとも何れか一つの面の少なくとも超音波シールされる領域にイージーピール性が付与されていることを特徴とする米飯加工食品用包装材の内フィルム用原反。
【請求項９】
一方の長尺フィルムの一端部、他方の長尺フィルムの一端部、及び、中間長尺フィルムのうち、少なくとも一方の長尺フィルムの一端部、及び中間長尺フィルムが、シールラインよりも長尺フィルムの短手方向の他端側で、長尺方向に連続的又は断続的に弱シールされ、該弱シールされた部分が剥離可能に構成されている請求項８に記載の米飯加工食品用包装材の内フィルム用原反。
【請求項１０】
中間長尺フィルムは、前記シールラインよりも長尺フィルムの短手方向の他端側で、他方の長尺フィルムに対して前記長尺方向に連続的又は断続的にシールされて固定されている請求項９に記載の米飯加工食品用包装材の内フィルム用原反。
【請求項１１】
幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材の内フィルム用原反であって、重ね合わされた二枚の長尺フィルムを備え、該二枚の長尺フィルムは、一端部同士が長尺方向に延びる直線状又は非直線状のシールラインを形成するように超音波シールされ、しかも、重ね合わされて互いに対向する面のうち、少なくとも何れか一つの面の少なくとも超音波シールされる領域にイージーピール性が付与されていることを特徴とする米飯加工食品用包装材の内フィルム用原反。
【請求項１２】
二枚の長尺フィルムは、シールラインよりも長尺フィルムの短手方向の他端側で、長尺方向に連続的又は断続的に弱シールされ、該弱シールされた部分が剥離可能に構成されている請求項１１に記載の米飯加工食品用包装材の内フィルム用原反。
【発明の詳細な説明】
【技術分野】
【０００１】
本発明は、シート状食品と米飯加工食品とを分離した状態でこれらを包装する米飯加工食品用包装材、及び、該米飯加工食品用包装材の内フィルム用原反に関する。
【背景技術】
【０００２】
従来から、コンビニエンスストアやスーパー等で販売される米飯加工食品を包装する包装材として、幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされたものが知られている。
【０００３】
前記外フィルムは、帯状のカットテープが一方の面に分割する方向と直交する方向に延びるように貼着されており、該カットテープを引っ張ることで二分できるようになっている。その一方で、内フィルムは、独立した二枚の分離フィルムが一端同士を重ね合わせた状態で並列に配設されて構成されている。
【０００４】
上記構成の米飯加工食品用包装材は、内フィルム上に米飯加工食品を配置した上で該米飯加工食品を包み込んで包装するようになっている。そして、該米飯加工食品用包装材は、外フィルムを二分した上で、該外フィルムを幅方向に引っ張ることで、該二分した外フィルムが互いに離間するとともに、内フィルムを構成する独立した二枚の分離フィルムが互いに離間し、該内フィルム（二枚の分離フィルム）によって分離していた米飯加工食品とシート状食品とが一体的になるように構成されている。
【０００５】
しかしながら、上記構成の米飯加工食品用包装材は、独立した二枚の分離フィルムの一端部同士を重ね合わせて内フィルムを構成しているため、包装状態において二枚の分離フィルム間（重ね合わせ部分）から米飯加工食品の水分（湿気）が入り込んでしまい、海苔や薄焼き卵等のシート状食品本来の食感や味を低下させるといった問題がある。
【０００６】
このような問題を解決すべく、二枚の分離フィルムの一端同士を剥離可能に線状に弱シールし、シート状食品の介設される外フィルムと内フィルムとの間に水分が流入するのを防止したものが提供されているが、線状に弱シールされると、外フィルムを幅方向に引っ張ったときの引っ張り力が弱シールに分散して作用する結果、内フィルム（二枚の分離フィルム）を円滑に分離できない場合があるとして、二枚の分離フィルムを溶着させるシールラインを鋸刃状乃至波形状に形成したものが提供されている（例えば、特許文献１参照）。
【０００７】
かかる米飯加工食品用包装材は、二枚の分離フィルムを溶着させるシールラインが鋸刃状乃至波形状に形成されることで、二分した外フィルムを幅方向に引っ張ったときの引っ張り力をシールライン上に形成される複数の頂部のそれぞれに集中的に作用させるようになっており、二枚の分離フィルムを円滑に剥離させることができるようになっている。
【特許文献１】特許第３８５３７７５号公報
【発明の開示】
【発明が解決しようとする課題】
【０００８】
上述のように、従来の米飯加工食品用包装材は、米飯加工食品からの水分の流入を阻止し、シート状食品本来の食感や味を保つことができ、しかも、容易に開封することもできるが、従来の米飯加工食品用包装材とは異なった新規で斬新な米飯加工食品用包装材も要求されている。
【０００９】
そこで、本発明は、米飯加工食品からの水分の流入を阻止し、シート状食品本来の食感や味を保つことができ、しかも、容易に開封することができる新規で斬新な米飯加工食品用包装材、及び、該米飯加工食品用包装材の内フィルム用原反を提供することを課題とする。
【課題を解決するための手段】
【００１０】
本発明に係る米飯加工食品用包装材は、幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材において、前記内フィルムは、一端部同士が重ね合わされて並列に配設された二枚の分離フィルムと、該二枚の分離フィルムの一端部間に介設された中間フィルムとを備え、二枚の分離フィルムの一端部及び中間フィルムは、内フィルムの分離方向に対して交差方向に延びる直線状又は非直線状のシールラインを形成するように超音波シールされ、しかも、重ね合わされて互いに対向する面のうち、少なくとも何れか一つの面の少なくとも超音波シールされる領域にイージーピール性が付与されていることを特徴とする。
【００１１】
上記構成の米飯加工食品用包装材によれば、二枚の分離フィルムの一端部及び中間フィルムが、前記分離方向に対して交差方向に延びる直線状又は非直線状のシールラインを形成するように超音波シールされているので、米飯加工食品からの水分（湿気）が二枚の分離フィルム間を介して内フィルムと外フィルムとの間に入り込むことがなく、シート状食品が水分で害されるのを防止することができる。
【００１２】
また、シールラインを超音波シールで形成することで、該シールラインに対応する部分の厚みが周辺よりも薄く形成される。これより、内フィルムに対して分離方向に引っ張り力が作用すると、その力がシールラインに集中して作用し、内フィルム（内フィルムを構成する分離フィルム）がシールラインで切断されることになる。
【００１３】
そして、上述の如く、超音波シールによってシールラインが形成される際に、薄肉のシールラインと周辺の厚肉の部分との境界、或いは、該境界近傍において対向する面同士が溶着してしまうことがあるが、二枚の分離フィルムの一端部及び中間フィルムは、重ね合わされて互いに対向する面のうち、少なくとも何れか一つの面の少なくとも超音波シールされる領域にイージーピール性が付与されているので、シールラインで内フィルムが切断されるに際し、溶着した部分が剥離し易く、対向する面同士の溶着が内フィルムの分離を阻害するのを防止することができる。
【００１４】
本発明の一態様として、一方の分離フィルムは、一端部が中間フィルム側に折り返され、該一方の分離フィルムの折り返された一端部、及び中間フィルムの互いに対向する面のうち、少なくとも何れか一方の面にイージーピール性が付与されていることが好ましい。このようにすれば、内フィルムに対して分離方向に引っ張り力を作用させたとき、分離フィルムの折り返された一端部が稜線側から順々に中間フィルムから捲り返され、折り返しによって形成される稜線が一方の分離フィルムの一端側に移行する。その結果、一方の分離フィルムの一端部（折り返された一端部）がシールラインまで捲り返されると、中間フィルムから離間しようとする力が薄肉になったシールラインに対して集中的に作用し、一方の分離フィルムが切断されることになる。すなわち、一端部を折り返すことで、開封時における内フィルムの面方向に沿った引っ張り力をその面に対して交差する方向に作用させることができ、分離フィルムを円滑に切断することができる。そして、一方の分離フィルムの折り返された一端部、及び中間フィルムの互いに対向する面のうち、少なくとも何れか一方の面にイージーピール性が付与されることで、シールラインの境界又はその近傍での溶着影響を受けることなく、分離シートをシールラインで円滑に切断させることができる。
【００１５】
そして、一方の分離フィルムの折り返された一端部、他方の分離フィルムの一端部、及び、中間フィルムのうち、少なくとも一方の分離フィルムの折り返された一端部、及び中間フィルムが、該一方の分離フィルムの一端部の折り返しによって形成される稜線と前記シールラインとの間で、前記分離方向に対して交差方向に連続的又は断続的に弱シールされ、該弱シールされた部分が剥離可能に構成されていることが好ましい。このようにすれば、運搬や該米飯加工食品用包装材の製造過程等において、分離フィルムの一端部が中間フィルムから無造作に捲り上がってシールラインで切断されてしまうことを防止することができる。
【００１６】
すなわち、内フィルムの変形に伴って発生する力を弱シールされた部分で受けることにより、折り返した一端部が中間シートから捲り上がることが防止される。これにより、内フィルムが無造作に変形しても、該内フィルムが分離してしまうのを防止できる。そして、弱シールは、溶着した部分を剥離させ易い構成であるので、内フィルムの円滑な分離を確保することができる。なお、このように弱シールする場合、重ね合わせによって互いに対向する面（各分離フィルムの一端部における一方の面、中間フィルムの両面）の少なくとも何れか一つの面であって、超音波シールされる領域及び弱シールされる領域を含んだ領域にイージーピール性を付与することが好ましい。
【００１７】
そして、中間フィルムは、一端側が二枚の分離フィルムの一端部間に介在するとともに、他端側が一方の分離フィルムの一端部の折り返しによって形成される稜線よりも外方に延出するように設けられ、該中間フィルムの他端側が他方の分離フィルムに前記分離方向に対して交差方向に連続的又は断続的にシールされて固定されてもよい。このようにすれば、折り返しによって形成される稜線よりも外方に延出する中間フィルム（他端側）が無造作に折れ曲がったり、捲り上がったりしまうのを防止することができる。
【００１８】
本発明に係る別の米飯加工食品用包装材は、幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材において、前記内フィルムは、一端部同士が重ね合わされて並列に配設された二枚の分離フィルムを備え、二枚の分離フィルムの一端部は、内フィルムの分離方向に対して交差方向に延びる直線状又は非直線状のシールラインを形成するように超音波シールされ、しかも、重ね合わされて互いに対向する面のうち、少なくとも何れか一つの面の少なくとも超音波シールされる領域にイージーピール性が付与されていることを特徴とする。
【００１９】
上記構成の米飯加工食品用包装材によれば、二枚の分離フィルムの一端部が、分離方向に対して交差方向に延びる直線状又は非直線状のシールラインを形成するように超音波シールされているので、米飯加工食品からの水分（湿気）が二枚の分離フィルム間を介して内フィルムと外フィルムとの間に入り込むことがなく、シート状食品が水分で害されるのを防止することができる。
【００２０】
また、シールラインを超音波シールで形成することで、該シールラインに対応する部分の厚みが周辺よりも薄く形成される。これより、内フィルムに対して分離方向に引っ張り力が作用すると、その力がシールラインに集中して作用し、内フィルム（内フィルムを構成する分離フィルム）がシールラインで切断されることになる。
【００２１】
そして、上述の如く、超音波シールによってシールラインが形成される際に、薄肉のシールラインと厚肉の周辺部分との境界、或いは、該境界近傍において対向する面同士が溶着してしまうことがあるが、二枚の分離フィルムの一端部は、重ね合わされて互いに対向する面のうち、少なくとも何れか一つの面の少なくとも超音波シールされる領域にイージーピール性が付与されているので、シールラインで内フィルムが切断されるに際し、溶着した部分が剥離し易く、対向する面同士の溶着が内フィルムの分離を阻害するのを防止することができる。
【００２２】
本発明に係る別の米飯加工食品用包装材の一態様として、一方の分離フィルムは、他方の分離フィルム側に一端部が折り返されていることが好ましい。このようにすれば、内フィルムに対して分離方向に引っ張り力を作用させたとき、一方の分離フィルムの折り返された一端部が稜線側から順々に他方の分離フィルムから離間して捲り返され、折り返しによって形成される稜線が一方の分離フィルムの一端側に移行する。その結果、一方の分離フィルムの一端部（折り返された一端部）がシールラインまで捲り返されると、他方の分離フィルムから離間しようとする力が薄肉になったシールラインに対して集中的に作用し、一方の分離フィルムが切断されることになる。すなわち、一端部を折り返すことで、開封時における内フィルムの面方向に沿った引っ張り力をその面に対して交差する方向に作用させることができ、分離フィルムを円滑に切断することができる。
【００２３】
この場合、一方の分離フィルムの折り返された一端部、及び他方の分離フィルムの一端部が、該一方の分離フィルムの一端部の折り返しによって形成される稜線と前記シールラインとの間で、前記分離方向に対して交差方向に連続的又は断続的に弱シールされ、該弱シールされた部分が剥離可能に構成されていることが好ましい。このようにすれば、運搬や米飯加工食品用包装材の製造過程等において、分離フィルムの一端部が中間フィルムから無造作に捲り上がってシールラインで切断されてしまうことを防止することができる。
【００２４】
すなわち、内フィルムの変形に伴って発生する力を弱シールされた部分で受けることにより、一方の分離フィルムの折り返した一端部が他方の分離フィルムから捲り上がることが防止される。これにより、内フィルムが無造作に変形しても、該内フィルムが分離してしまうのを防止できる。そして、弱シールは、溶着した部分を剥離させ易い構成であるので、内フィルムの円滑な分離を確保することができる。なお、このように弱シールする場合、重ね合わせによって互いに対向する面（二枚の分離フィルムの一端部同士の対向する二つの面）の少なくとも何れか一つの面であって、超音波シールされる領域及び弱シールされる領域を含んだ領域にイージーピール性を付与することが好ましい。
【００２５】
本発明に係る米飯加工食品用包装材の内フィルム用原反は、幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材の内フィルム用原反であって、重ね合わされた二枚の長尺フィルムと、該二枚の長尺フィルムの一端部間に介設された中間長尺フィルムとを備え、二枚の長尺フィルムの一端部及び中間長尺フィルムは、長尺方向に延びる直線状又は非直線状のシールラインを形成するように超音波シールされ、しかも、重ね合わされて互いに対向する面のうち、少なくとも何れか一つの面の少なくとも超音波シールされる領域にイージーピール性が付与されていることを特徴とする。
【００２６】
上記構成の米飯加工食品用包装材の内フィルム用原反によれば、重ね合わされた二枚の長尺フィルムと、該二枚の長尺フィルムの一端部間に介設された中間長尺フィルムとを備え、二枚の長尺フィルムの一端部及び中間長尺フィルムは、長尺方向に延びる直線状又は非直線状のシールラインを形成するように超音波シールされているので、長尺方向で外フィルムに対応する長さに切断することで、重ね合わされた二枚の長尺フィルムと、該二枚の長尺フィルムの一端部間に介設された中間長尺フィルムとがシールされた状態で外フィルムに対応する長さになる。これにより、上述のように切断する前、又は、切断後に何れか一方の長尺フィルムのシールラインよりも他端側を折り返すことで、一端部間に中間長尺フィルムを介在させつつも二枚の長尺フィルムが並列に配置された内フィルムとなる。
【００２７】
そして、シート状食品を介して該内フィルムと外フィルムとを重ね合わせ、シート状食品を囲むように外フィルムと内フィルムとをシールすることで米飯加工食品用包装材が作製される。
【００２８】
上記構成の内フィルムは、二枚の長尺フィルムの一端部及び中間長尺フィルムが、該二枚の長尺フィルムの並列方向（分離方向）に対して交差方向に延びる直線状又は非直線状のシールラインを形成するように超音波シールされた状態になっているため、米飯加工食品用包装材にされて米飯加工食品を包装しても、米飯加工食品の水分が内フィルムと外フィルムとの間に入り込むことがなく、シート状食品が水分で害されるのを防止することができる。
【００２９】
また、シールラインを超音波シールで形成することで、該シールラインに対応する部分の厚みが周辺よりも薄く形成されるため、内フィルムに対して分離方向に引っ張り力が作用すると、その力がシールラインに集中して作用し、内フィルム（内フィルムを構成する長尺フィルム）がシールラインで切断されることになる。
【００３０】
そして、上述の如く、超音波シールによってシールラインが形成される際に、薄肉のシールラインと周辺の厚肉の部分との境界、或いは、該境界近傍において対向する面同士が溶着してしまうことがあるが、二枚の長尺フィルムの一端部及び中間長尺フィルムは、重ね合わされて互いに対向する面のうち、少なくとも何れか一つの面の少なくとも超音波シールされる領域にイージーピール性が付与されているので、シールラインで内フィルムが切断されるに際し、溶着した部分が剥離し易く、対向する面同士の溶着が内フィルムの分離を阻害するのを防止することができる。
【００３１】
この場合、一方の長尺フィルムの一端部、他方の長尺フィルムの一端部、及び、中間長尺フィルムのうち、少なくとも一方の長尺フィルムの一端部、及び中間長尺フィルムが、シールラインよりも長尺フィルムの短手方向の他端側で、長尺方向に連続的又は断続的に弱シールされ、該弱シールされた部分が剥離可能に構成されていることが好ましい。このようにすれば、運搬や米飯加工食品用包装材の製造過程等において、長尺フィルムの一端部が中間長尺フィルムから無造作に捲り上がってシールラインで切断されてしまうことを防止することができる。
【００３２】
すなわち、内フィルムの変形に伴って発生する力を弱シールされた部分で受けることにより、折り返した一端部が中間長尺フィルムから捲り上がることが防止される。これにより、内フィルムが無造作に変形しても、該内フィルムが分離してしまうのを防止できる。そして、弱シールは、溶着した部分を剥離させ易い構成であるので、内フィルムの円滑な分離を確保することができる。なお、このように弱シールする場合、重ね合わせによって互いに対向する面（各長尺フィルムの短手方向の一端部における一方の面、中間長尺フィルムの両面）の少なくとも何れか一つの面であって、超音波シールされる領域及び弱シールされる領域を含んだ領域にイージーピール性を付与することが好ましい。
【００３３】
そして、中間長尺フィルムは、前記シールラインよりも長尺フィルムの短手方向の他端側で、他方の長尺フィルムに対して前記長尺方向に連続的又は断続的にシールされて固定されていることが好ましい。このようにすれば、上述の如く作製された内フィルムは、一方の長尺フィルムの折り返しによって形成される稜線よりも外方に延出し、且つ他方の長尺フィルムに重なる中間長尺フィルム（他端側）が無造作に折れ曲がったり、捲り上がったりしまうことが防止される。
【００３４】
本発明に係る別の米飯加工食品用包装材の内フィルム用原反は、幅方向に分割可能に形成される外フィルムと、シート状食品を介して外フィルムに重ね合わされ、外フィルムと同方向に分離可能に形成される内フィルムとを備え、前記シート状食品を囲むように外フィルムと内フィルムとがシールされてなる米飯加工食品用包装材の内フィルム用原反であって、重ね合わされた二枚の長尺フィルムを備え、該二枚の長尺フィルムは、一端部同士が長尺方向に延びる直線状又は非直線状のシールラインを形成するように超音波シールされ、しかも、重ね合わされて互いに対向する面のうち、少なくとも何れか一つの面の少なくとも超音波シールされる領域にイージーピール性が付与されていることを特徴とする。
【００３５】
上記構成の米飯加工食品用包装材の内フィルム用原反によれば、重ね合わされた二枚の長尺フィルムを備え、二枚の長尺フィルムの一端部同士が、長尺方向に延びる直線状又は非直線状のシールラインを形成するように超音波シールされているので、長尺方向で外フィルムに対応する長さに切断することで、重ね合わされた二枚の長尺フィルム同士がシールされた状態で外フィルムに対応する長さになる。これにより、上述のように切断する前、又は、切断後に何れか一方の長尺フィルムのシールラインよりも他端側を折り返すことで、二枚の長尺フィルムが並列に配置された内フィルムとなる。
【００３６】
そして、シート状食品を介して該内フィルムと外フィルムとを重ね合わせ、シート状食品を囲むように外フィルムと内フィルムとをシールすることで米飯加工食品用包装材が作製される。
【００３７】
上記構成の内フィルムは、二枚の長尺フィルムの一端部が、該二枚の長尺フィルムの並列方向（分離方向）に対して交差方向に延びる直線状又は非直線状のシールラインを形成するように超音波シールされた状態になっているため、米飯加工食品用包装材にされて米飯加工食品を包装しても、米飯加工食品の水分が内フィルムと外フィルムとの間に入り込むことがなく、シート状食品が水分で害されるのを防止することができる。
【００３８】
また、シールラインを超音波シールで形成することで、該シールラインに対応する部分の厚みが周辺よりも薄く形成されるため、内フィルムに対して分離方向に引っ張り力が作用すると、その力がシールラインに集中して作用し、内フィルム（内フィルムを構成する長尺フィルム）がシールラインで切断されることになる。
【００３９】
そして、上述の如く、超音波シールによってシールラインが形成される際に、薄肉のシールラインと周辺の厚肉の部分との境界、或いは、該境界近傍において対向する面同士が溶着してしまうことがあるが、二枚の長尺フィルムの一端部は、重ね合わされて互いに対向する面のうち、少なくとも何れか一つの面の少なくとも超音波シールされる領域にイージーピール性が付与されているので、シールラインで内フィルムが切断されるに際し、溶着した部分が剥離し易く、対向する面同士の溶着が内フィルムの分離を阻害するのを防止することができる。
【００４０】
この場合、二枚の長尺フィルムは、シールラインよりも長尺フィルムの短手方向の他端側で、長尺方向に連続的又は断続的に弱シールされ、該弱シールされた部分が剥離可能に構成されていることが好ましい。このようにすれば、上述の如く、内フィルムとしたときに、一方の長尺フィルムの一端部が無造作に捲り上がって不用意にシールラインで切断されてしまうことを防止することができる。
【００４１】
すなわち、内フィルムの変形に伴って発生する力を弱シールされた部分で受けることにより、折り返した一端部が他方の長尺フィルムから捲り上がることが防止される。これにより、内フィルムが無造作に変形しても、該内フィルムが分離してしまうのを防止できる。そして、弱シールは、溶着した部分を剥離させ易い構成であるので、内フィルムの円滑な分離を確保することができる。なお、このように弱シールする場合、重ね合わせによって互いに対向する面（各長尺フィルムの一端部における一方の面）の少なくとも何れか一つの面であって、超音波シールされる領域及び弱シールされる領域を含んだ領域にイージーピール性を付与することが好ましい。
【発明の効果】
【００４２】
本発明に係る米飯加工食品用包装材、及び、米飯加工食品用包装材の内フィルム用原反によれば、米飯加工食品からの水分の流入を阻止し、シート状食品本来の食感や味を保つことができ、しかも、容易に開封することができるという優れた効果を奏し得る。
【発明を実施するための最良の形態】
【００４３】
以下、本発明の第一実施形態に係る米飯加工食品用包装材、及び、米飯加工食品用包装材の内フィルム用原反について、添付図面を参照しつつ説明する。
【００４４】
本実施形態に係る米飯加工食品用包装材は、図１及び図２に示す如く、幅方向に分割可能に形成される外フィルム１と、海苔や薄焼き卵等のシート状食品Ｓを介して外フィルム１に重ね合わされ、外フィルム１と同方向に分離可能に形成される内フィルム２とを備え、前記シート状食品Ｓを囲むように外フィルム１と内フィルム２とがシールされている。なお、図１及び図２において、外フィルム１の外周及び内フィルム２の外周のハッチングの付された領域がシールされる領域を示している。
【００４５】
前記外フィルム１は、略長方形状に形成されたフィルムで、長手方向と直交する短手方向（幅方向）の略中央で長手方向に延びるように、帯状のカットテープ１０が貼着されている。これにより、外フィルム１は、カットテープ１０を何れか一端側から引っ張ることで、該カットテープ１０に沿って切断され、幅方向に二分割できるようになっている。なお、外フィルム１は、カットテープ１０によって切断されるため、切断方向性を有しないフィルムであってもよいが、不特定な方向に裂けるのを防止すべく、切断方向性を有するフィルム（延伸フィルム）を採用しても勿論よい。
【００４６】
そして、上述の如く、カットテープ１０を引っ張るに際し、カットテープ１０の端部を把持し易くするために、外フィルム１には、カットテープ１０の両端部の両側に切れ込み１１，１１が入れられ、該切り込み１１，１１間に把持片１２が形成されている。
【００４７】
前記内フィルム２は、図３（ａ）及び図３（ｂ）に示す如く、一端部同士が重ね合わされて並列に配設された二枚の分離フィルム２０ａ，２０ｂと、該二枚の分離フィルム２０ａ，２０ｂの一端部間に介設された中間フィルム２１とを備えている。
【００４８】
すなわち、本実施形態に係る内フィルム２は、一端部同士を重ね合わせるようにして二枚の分離フィルム２０ａ，２０ｂが並列に配設されることにより、平面視において外フィルム１と略同一形状をなし、該二枚の分離フィルム２０ａ，２０ｂの重なり合う一端部間に中間フィルム２１が介設されている。
【００４９】
二枚の分離フィルム２０ａ，２０ｂのそれぞれは、樹脂フィルムで構成されており、本実施形態においては、ＰＰ（ポリプロピレン）フィルムで構成されている。そして、二枚の分離フィルム２０ａ，２０ｂは、何れも長方形状に裁断され、一端部同士を重ね合わせた状態で上述の如く外フィルム１と同形態になるようになっている（図２参照）。そして、二枚の分離フィルム２０ａ，２０ｂのうち、一方の分離フィルム２０ａは、他方の分離フィルム２０ｂに重ね合わされる短手方向の一端部が中間フィルム２１（他方の分離フィルム２０ｂ）側に折り返されている。
【００５０】
前記中間フィルム２１は、帯状或いは短冊状に形成された樹脂フィルムで、本実施形態においては、二枚の分離フィルム２０ａ，２０ｂと同様に、ＰＰ（ポリプロピレン）フィルムで構成されている。そして、中間フィルム２１は、長手方向と直交する短手方向の一端側が二枚の分離フィルム２０ａ，２０ｂの一端部間に位置し、他端側が一方の分離フィルム２０ａの一端部の折り返しによって形成される稜線Ｌから外側に延出するように設けられている。本実施形態に係る中間フィルム２１は、短手方向の一端が分離フィルム２０ａ，２０ｂの一端に沿うように設けられている。
【００５１】
そして、二枚の分離フィルム２０ａ，２０ｂの一端部及び中間フィルム２１は、内フィルム２の分離方向（外フィルム１の分割方向）に対して交差方向に延びる直線状又は非直線状のシールライン２２を形成するように超音波シールされている。本実施形態では、二枚の分離フィルム２０ａ，２０ｂの一端部及び中間フィルム２１は、内フィルム２の分離方向に対して直交方向に延びる直線状のシールライン２２を形成するように超音波シールされている。該米飯加工食品用包装材は、一方の分離フィルム２０ａの一端部が折り返されているため、該一方の分離フィルム２０ａの折り返された一端部、中間フィルム２１（一端部）、他方の分離フィルム２０ｂの他端側から真っ直ぐに延びる一端部が、超音波シールによって溶着されている。このように、超音波シールされることで、二枚の分離フィルム２０ａ，２０ｂ及び中間フィルム２１は、シールライン２２に対応する部分が周辺の厚みよりも薄くなっている。すなわち、本実施形態に係る内フィルム２は、二枚の分離フィルム２０ａ，２０ｂが超音波シールによって線状に溶けるため、シールライン２２で極薄になり、結果として三枚のフィルム（分離フィルム２０ａ，２０ｂ、中間フィルム２１）の接合されるシールライン２２での肉厚が薄くなっている。
【００５２】
そして、二枚の分離フィルム２０ａ，２０ｂの一端部及び中間フィルム２１において、重ね合わされることで互いに対向する面のうち、少なくとも何れか一つの面の少なくとも超音波シールされる領域にイージーピール性が付与されている。
【００５３】
本実施形態においては、中間フィルム２１の一方の面であって、一方の分離フィルム２０ａ側の面（折り返された一端部と対向する面）と対向する面の全面にイージーピール性が付与されている。ここでイージーピール性とは、接続強度を弱めて剥離し易くした性質をいい、例えば、パートコートを施したり、フィルムの表面を粗面にしたりすることで達成することができる。なお、パートコートには加熱されると特有の臭いを発生させるものがあるため、電子レンジ等で加熱される可能性の米飯加工食品Ｒ（例えば、おにぎり）を包装する場合、イージーピール性を付与するのに、分離フィルム２０ａ，２０ｂ及び中間フィルム２１の少なくとも何れか一つに、加熱によって臭いや有害物質を発生させることなく剥離性を向上させる特殊コーティングの施されたフィルムが採用されたり、或いは、上述の如く、表面を粗面にしたフィルムが採用されたりする。なお、本実施形態の中間フィルム２１には、ＰＰ（ポリプロピレン）フィルムが採用されており、その一方の面を粗面にしてイージーピール性を付与している。
【００５４】
さらに、該米飯加工食品用包装材は、一方の分離フィルム２０ａの折り返された一端部、他方の分離フィルム２０ｂの一端部、及び、中間フィルム２１のうち、少なくとも一方の分離フィルム２０ａの折り返された一端部、及び中間フィルム２１が、該一方の分離フィルム２０ａの一端部の折り返しによって形成される稜線Ｌと前記シールライン２２との間で、該内フィルム２の分離方向に対して交差方向に連続的又は断続的に弱シールされ、該弱シールされた部分が剥離可能に構成される。本実施形態においては、一方の分離フィルム２０ａの一端部、他方の分離フィルム２０ｂの一端部、及び中間フィルム２１の一端部が、稜線Ｌと前記シールライン２２との間で、内フィルム２の分離方向に対して交差方向に間隔をあけて複数箇所に（断続的に）部分的な弱シール（ポイント弱シール）２３…が施され、相互に剥離できるようになっている。
【００５５】
さらに、前記中間フィルム２１は、一端側が二枚の分離フィルム２０ａ，２０ｂ間に介在するとともに、他端側が一方の分離フィルム２０ａの一端部の折り返しによって形成される稜線Ｌよりも外方に延出するように設けられ、該中間フィルム２１の他端側が他方の分離フィルム２０ｂに前記分離方向に対して交差方向に連続的又は断続的にシールされて固定されている。本実施形態では、他方の分離フィルム２０ｂ及び中間フィルム２１の他端部が、稜線Ｌよりも外側で前記交差方向に間隔をあけて複数箇所に（断続的に）部分的なシール（ポイントシール）２４…が施され、中間フィルム２１が他方の分離フィルム２０ｂに固定されている。これにより、中間フィルム２１が無造作に捲れ上がるのを防止するようになっている。
【００５６】
本実施形態に係る米飯加工食品用包装材は、図１及び図２に示す如く、シート状食品Ｓを介して上記構成の外フィルム１及び内フィルム２を重ね合わせ、上述の如く、外フィルム１及び内フィルム２の周縁部同士をシールすることで作製されている。なお、本実施形態に係る内フィルム２は、一方の分離フィルム２０ａの一方の面（中間フィルム２１と対向する一端部の一方の面に連続し、折り返されることで中間フィルム２１と非対向状態にある面）が外フィルム１（シート状食品Ｓ）と対向するように重ね合わされている。また、上述の如く、外フィルム１の長手方向の両端部には、カットテープ１０の端部の両側に切り込み１１，１１が入れられて把持片１２が形成されているため、該把持片１２を除いて外フィルム１と内フィルム２との周縁部同士をシールされている。
【００５７】
上記構成の米飯加工食品用包装材は、図４に示す如く、内フィルム２上に米飯加工食品Ｒ（図においては、三角おにぎり）を載置して長手方向で二つ折りにし、対向する周縁部同士をシールすることで、米飯加工食品Ｒを包装するようになっている。なお、本実施形態に係る米飯加工食品用包装材は、図５に示す如く、内フィルム２上に米飯加工食品Ｒ（図においては、三角おにぎり）を載置して長手方向で二つ折りにし、その二つ折りにした部分における米飯加工食品Ｒと対向しない領域を、米飯加工食品Ｒに沿わせるように折り曲げた上で当該部分を粘着テープやシール材等の貼着手段で貼着することで、米飯加工食品Ｒを包装することもできる。
【００５８】
そして、何れの包装形態であっても、本実施形態に係る米飯加工食品用包装材は、上述の如く、二枚の分離フィルム２０ａ，２０ｂの一端部及び中間フィルム２１が、前記分離方向に対して交差方向に延びる直線状のシールライン２２を形成するように超音波シールされているので、該米飯加工食品Ｒからの水分が二枚の分離フィルム２０ａ，２０ｂ間を介して内フィルム２と外フィルム１との間に入り込むことがなく、シート状食品Ｓが水分で害されることもない。
【００５９】
また、米飯加工食品Ｒを包装するとき、或いは、米飯加工食品Ｒを包装した状態で運搬したり陳列したりするときに、内フィルム２が変形したとしても、本実施形態に係る米飯加工食品用包装材は、二枚の分離フィルム２０ａ，２０ｂの一端部及び中間フィルム２１が、一端部の折り返しによって形成される稜線Ｌと前記シールライン２２との間で、前記分離方向に対して交差方向に間隔をあけて複数箇所でポイント弱シール２３…されているため、当該米飯加工食品用包装材（内フィルム２）の変形に伴う引っ張り力がシールライン２２に直接作用せず、分離フィルム２０ａの一端部が中間フィルム２１から無造作に捲り上がってシールライン２２で切断されてしまうことが防止される。これにより、分離フィルム２０ａ，２０ｂ間の水分の通過を阻止し、シート状食品Ｓが水分で害されるのを防止することができる。
【００６０】
上記構成の米飯加工食品用包装材は、上述の何れの包装形態であっても、外フィルム１をカットテープ１０で幅方向に二分した上で、該外フィルム１（当該米飯加工食品用包装材）を幅方向の両側を離間方向に引っ張ることで、内フィルム２がシールライン２２で切断（分断）され、内外ともに幅方向に分離されてシート状食品Ｓと米飯加工食品Ｒとが一体的になる。
【００６１】
具体的には、本実施形態に係る米飯加工食品用包装材は、分離フィルム２０ａ，２０ｂ及び中間フィルム２１を接続するシールライン２２を超音波シールで形成することで、図３（ａ）及び図３（ｂ）に示す如く、該シールライン２２（実際にはシールライン２２に対応する部分）の厚みが周辺よりも薄く形成されるため、内フィルム２に対して幅方向（分離方向）に引っ張り力が作用すると、その力がシールライン２２に集中して作用し、内フィルム２（内フィルム２を構成する分離フィルム２０ａ）がシールライン２２で切断されることになる。
【００６２】
本実施形態においては、内フィルム２を構成する一方の分離フィルム２０ａの一端部が折り返されているので、上述の如く、内フィルム２に対して分離方向に引っ張り力を作用させたとき、中間フィルム２１と対向する折り返された一端部が稜線Ｌ側から順々に中間フィルム２１から離間して捲り返され、折り返しによって形成される稜線Ｌが一方の分離フィルム２０ａの一端側に移行する。
【００６３】
そうすると、本実施形態に係る米飯加工食品用包装材は、一方の分離フィルム２０ａと中間フィルム２１とが弱シールされているため、稜線Ｌの移行に伴って、該弱シールされた部分２３が剥離する。そして、さらに稜線Ｌが移行し、一方の分離フィルム２０ａの一端部（折り返された一端部）がシールライン２２まで捲り返されると、中間フィルム２１から離間しようとする力が薄肉になったシールライン２２に対して集中的に作用し、一方の分離フィルム２０ａが切断されることになる。すなわち、分離フィルム２０ａの一端部を折り返すことで、開封時における内フィルム２の面方向い沿った引っ張り力をその面に対して交差する方向に作用させることができ、分離フィルム２０ａを円滑に切断することができる。
【００６４】
そして、上述の如く、超音波シールによってシールライン２２が形成される際に、該シールライン２２の境界、或いは、該境界近傍において対向する面同士が溶着してしまうことがあるが、中間フィルム２１の一方の面（超音波シールされる領域）にイージーピール性が付与されているので、シールライン２２で内フィルム２が切断されるに際し、溶着した部分が剥離し易く、対向する面同士の溶着が内フィルム２の分離を阻害するのを防止することができる。特に、イージーピール性が付与された面が、イージーピール性の付与されていない面よりも剥離し易いため、上述の如く、幅方向の引っ張り力が作用すると、イージーピール性を付与した中間フィルム２１の一方の面と、これに対向する分離フィルムの一方の面との剥離が優先的になされる結果、引っ張り力がイージーピール性を付与した面と対向する一方の分離フィルム２０ａにおけるシールライン２２に優先的に作用する。その結果、二枚の分離フィルム２０ａ，２０ｂのうちの一方の分離フィルム２０ａがシールライン２２で切断され、外フィルム１及び内フィルム２の両方が幅方向に分離されてシート状食品Ｓと米飯加工食品Ｒとが一体的になる。
【００６５】
上記構成の米飯加工食品用包装材における内フィルム２は、当該内フィルム２の連続体からなる長尺な内フィルム用原反を所定長さに切断することで作製されている。なお、外フィルム１もその連続体からなる長尺なフィルム（原反）を切断することで作製されるが、かかる原反は一般的なものである。
【００６６】
そこで、本実施形態に係る内フィルム用原反についてのみ具体的に説明すると、内フィルム用原反は、図６に示す如く、重ね合わされた二枚の長尺フィルム２００ａ，２００ｂと、該二枚の長尺フィルム２００ａ，２００ｂの一端部間に介設された中間長尺フィルム２１０とを備えている。
【００６７】
前記二枚の長尺フィルム２００ａ，２００ｂのそれぞれは、分離フィルム２０ａ，２０ｂの連続体である。これにより、各長尺フィルム２００ａ，２００ｂは、それぞれＰＰ（ポリプロピレン）フィルムで構成されており、長尺な帯状に形成されている。上記構成の長尺フィルム２００ａ，２００ｂは、長手方向と直交する短手方向の一端が互いに沿うように全体的に重ね合わされている。
【００６８】
前記中間長尺フィルム２１０は、中間フィルム２１の連続体である。これにより、中間長尺フィルム２１０は、ＰＰ（ポリプロピレン）フィルムで構成されており、長尺な帯状に形成されている。該中間長尺フィルム２１０は、長手方向と直交する短手方向の幅寸法が長尺フィルム２００ａ，２００ｂの幅寸法よりも狭く設定されている。
【００６９】
そして、中間長尺フィルム２１０は、短手方向の一端が二枚の長尺フィルム２００ａ，２００ｂの一端に沿うように、二枚の長尺フィルム２００ａ，２００ｂ間に介設されている。
【００７０】
そして、二枚の長尺フィルム２００ａ，２００ｂの一端部及び中間長尺フィルム２１０一端部は、長尺方向に延びる直線状のシールライン２２０を形成するように超音波シールされている。すなわち、二枚の長尺フィルム２００ａ，２００ｂの一端部及び中間長尺フィルム２１０は、長尺方向で所定長さに切断して内フィルム２になった際の分離方向（長尺フィルム２００ａ，２００ｂの並列方向）に対して交差方向（本実施形態においては直交方向）に真っ直ぐに延びるシールライン２２０を形成するように超音波シールされている。
【００７１】
このように、超音波シールされることで、二枚の長尺フィルム２００ａ，２００ｂ及び中間長尺フィルム２１０は、シールライン２２０に対応する部分が周辺の厚みよりも薄くなっている。すなわち、二枚の長尺フィルム２００ａ，２００ｂは、超音波シールによって線状に溶けるため、シールライン２２０で極薄になり、結果として三枚のフィルム（長尺フィルム、中間長尺フィルム２１０）の接合されるシールライン２２０に対応する部分の肉厚が薄くなっている。これにより、長尺な内フィルム用原反を長尺方向で所定長さに切断して内フィルム２にしたときに、分離フィルム２０ａを切断させることのできるシールライン２２０（切断線）になるようになっている。
【００７２】
そして、二枚の長尺フィルム２００ａ，２００ｂの一端部及び中間長尺フィルム２１０において、重ね合わされることで互いに対向する面のうち、少なくとも何れか一つの面の少なくとも超音波シールされる領域にイージーピール性が付与されている。本実施形態に係る米飯加工食品用包装材は、上述の如く、一方の分離フィルム２０ａの一端部と対向する中間フィルム２１の一方の面にイージーピール性を付与するようにしているため、当該内フィルム用原反は、中間長尺フィルム２１０の一方の長尺フィルム２００ａと対向する面にイージーピール性が付与されている。
【００７３】
さらに、該内フィルム用原反は、一方の長尺フィルム２００ａの一端部、他方の長尺フィルム２００ｂの一端部、及び中間長尺フィルム２１０の一端部のうち、少なくとも一方の長尺フィルム２００ａの一端部、及び中間長尺フィルム２１０の一端部が、前記シールライン２２０よりも短手方向の他端側で連続的又は断続的に弱シールされている。本実施形態では、上記米飯加工食品用包装材に対応して、二枚の長尺フィルム２００ａ，２００ｂの一端部、及び中間長尺フィルム２１０の一端部が、長尺方向に間隔をあけた複数箇所でポイント弱シール２３０…されている。
【００７４】
そして、中間長尺フィルム２１０は、シールライン２２０よりも短手方向の他端側で他方の長尺フィルム２００ｂに対して連続的又は断続的にシールされて固定されている。本実施形態では、上記米飯加工食品用包装材に対応して、長尺方向に間隔をあけた複数箇所でポイントシール２４０…されている。
【００７５】
本実施形態に係る内フィルム用原反は、以上の構成からなり、長尺方向で所定長さ（外フィルム１の長手方向に長さに対応した長さ）に切断されることで、図７（ａ）に示す如く、二枚の長尺フィルム２００ａ，２００ｂが重なり合った（二枚の分離フィルム２０ａ，２０ｂが重なり合った）内フィルム２が作製される。そして、上述のように切断する前、又は、切断後（本実施形態では切断後）に、図７（ｂ）に示す如く、何れか一方の長尺フィルム２００ａにおけるシールライン２２０よりも短手方向の他端側を折り返すことで、二枚の長尺フィルム２００ａ，２００ｂ（二枚の分離フィルム２０ａ，２０ｂ）が並列に配置された内フィルム２となる。
【００７６】
そして、シート状食品Ｓを介して該内フィルム２と外フィルム１とを重ね合わせ、シート状食品Ｓを囲むように外フィルム１と内フィルム２とをシールすることで上述した米飯加工食品用包装材が作製される（図１及び図２参照）。
【００７７】
以上のように、本実施形態に係る米飯加工食品用包装材は、二枚の分離フィルム２０ａ，２０ｂの一端部及び中間フィルム２１が、前記分離方向に対して交差方向に延びる直線状又は非直線状のシールライン２２を形成するように超音波シールされているので、米飯加工食品Ｒからの水分が二枚の分離フィルム２０ａ，２０ｂ間を介して内フィルム２と外フィルム１との間に入り込むことがなく、シート状食品Ｓが水分で害されるのを防止することができる。また、シールライン２２を超音波シールで形成することで、内フィルム２（内フィルム２を構成する分離フィルム２０ａ）がシールライン２２に沿って切断することができる。その上、中間フィルム２１の一方の面にイージーピール性を付与しているので、シールライン２２で内フィルム２が切断されるに際し、溶着した部分が剥離し易く、対向する面同士の溶着が内フィルム２の分離を阻害するのを防止することができる。
【００７８】
また、一方の分離フィルム２０ａの一端部を中間フィルム２１側に折り返すようにしているので、一方の分離フィルム２０ａを円滑に切断することができる。
【００７９】
さらに、一方の分離フィルム２０ａの折り返された一端部、他方の分離フィルム２０ｂの一端部、及び、中間フィルム２１が、該一方の分離フィルム２０ａの一端部の折り返しによって形成される稜線Ｌとシールライン２２との間で、剥離可能に弱シールされているので、一方の分離フィルム２０ａの一端部が中間フィルム２１から無造作に捲り上がってシールライン２２で切断されてしまうことを防止することができる。
【００８０】
また、前記中間フィルム２１は、一端側が二枚の分離フィルム２０ａ，２０ｂ間に介在するとともに、他端側が一方の分離フィルム２０ａの一端部の折り返しによって形成される稜線Ｌよりも外方に延出するように設けられ、該中間フィルム２１の他端側が他方の分離フィルム２０ｂに前記分離方向に対して交差方向に連続的又は断続的にシールされて固定されているので、中間フィルム２１（他端側）が無造作に折れ曲がってしまう（捲れ上がってしまう）のを防止することができる。
【００８１】
そして、本実施形態に係る内フィルム用原反は、内フィルム２の連続体であるので、所定長さに切断することで、上述の作用及び効果を奏することのできる内フィルム２を作製することができる。
【００８２】
次に、本発明の第二実施形態に係る米飯加工食品用包装材、及び、米飯加工食品用包装材の内フィルム用原反について説明する。
【００８３】
本実施形態に係る米飯加工食品用包装材は、図８及び図９に示す如く、第一実施形態と同様に、幅方向に分割可能に形成される外フィルム１’と、シート状食品Ｓを介して外フィルム１’に重ね合わされ、外フィルム１’と同方向に分離可能に形成される内フィルム２’とを備え、前記シート状食品Ｓを囲むように外フィルム１’と内フィルム２’とがシールされている。なお、図８及び図９において、外フィルム１’の外周及び内フィルム２’の外周のハッチングの付された領域がシールされる領域を示している。
【００８４】
前記外フィルム１’は、略長方形状に形成されたフィルムで、長手方向と直交する方向（幅方向）の略中央で長手方向に延びるように、帯状のカットテープ１０’が貼着されている。これにより、外フィルム１’は、カットテープ１０’を何れか一端側から引っ張ることで、該カットテープ１０’に沿って切断され、幅方向に二分割できるようになっている。なお、外フィルム１’は、カットテープ１０’によって切断されるため、切断方向性を有しないフィルムであってもよいが、不特定な方向に裂けるのを防止すべく、切断方向性を有するフィルム（延伸フィルム）を採用しても勿論よい。
【００８５】
そして、上述の如く、カットテープ１０’を引っ張るに際し、カットテープ１０’の端部を把持し易くするために、本実施形態においても、外フィルム１’には、カットテープ１０’の両端部の両側に切れ込みが入れられ、該切り込み１１’，１１’間に把持片１２が形成されている。
【００８６】
前記内フィルム２’は、図１０（ａ）及び図１０（ｂ）に示す如く、一端部同士が重ね合わされて並列に配設された二枚の分離フィルム２０ａ’，２０ｂ’を備えている。すなわち、内フィルム２’は、一端部同士を重ね合わせるようにして二枚の分離フィルム２０ａ’，２０ｂ’が並列に配設されることにより、平面視において外フィルム１’と略同一形状をなしている。
【００８７】
本実施形態に係る二枚の分離フィルム２０ａ’，２０ｂ’は、それぞれＰＰ（ポリプロピレン）フィルムで構成されている。そして、二枚の分離フィルム２０ａ’，２０ｂ’は、何れも長方形状に裁断され、一端部同士を重ね合わせた状態で上述の如く外フィルム１’と同形態になるように形成されている。そして、二枚の分離フィルム２０ａ’，２０ｂ’のうち、一方の分離フィルム２０ａ’は、他方の分離フィルム２０ｂ’に重ね合わされる短手方向の一端部が該他方の分離フィルム２０ｂ’側に折り返されている。
【００８８】
そして、二枚の分離フィルム２０ａ’，２０ｂ’の一端部は、内フィルム２’の分離方向（外フィルム１’の分割方向）に対して交差方向に延びる直線状又は非直線状のシールライン２２’を形成するように超音波シールされている。本実施形態では、二枚の分離フィルム２０ａ’，２０ｂ’の一端部は、内フィルム２’の分離方向に対して直交方向に延びる直線状のシールライン２２’を形成するように超音波シールされている。本実施形態に係る米飯加工食品用包装材は、一方の分離フィルム２０ａ’の一端部が折り返されているため、該一方の分離フィルム２０ａ’の折り返された一端部、他方の分離フィルム２０ｂ’の他端側から真っ直ぐに延びる一端部が、超音波シールによって溶着されている。このように、超音波シールされることで、二枚の分離フィルム２０ａ’，２０ｂ’は、シールライン２２’に対応する部分が周辺の厚みよりも薄くなっている。すなわち、内フィルム２は、二枚の分離フィルム２０ａ’，２０ｂ’が超音波シールによって線状に溶けるため、シールライン２２’で極薄になっている。
【００８９】
そして、二枚の分離フィルム２０ａ’，２０ｂ’の一端部において、重ね合わされることで互いに対向する面のうち、少なくとも何れか一つの面の少なくとも超音波シールされる領域にイージーピール性が付与されている。
【００９０】
本実施形態においては、他方の分離フィルム２０ｂ’の一方での面であって、一方の分離フィルム２０ａ’側の面（折り返された一端部と対向する面）と対向する面の全面にイージーピール性が付与されている。ここでイージーピール性とは、接続強度を弱めて剥離し易くした性質をいい、例えば、パートコートを施したり、フィルムの表面を粗面にしたりすることで達成することができる。なお、パートコートには加熱されると特有の臭いを発生させるものがあるため、電子レンジ等で加熱される可能性の米飯加工食品Ｒ（例えば、おにぎり）を包装する場合、イージーピール性を付与するのに、分離フィルム２０ａ’，２０ｂ’の少なくとも何れか一つに、加熱によって臭いや有害物質を発生させることなく剥離性を向上させる特殊コーティングの施されたフィルムが採用されたり、或いは、上述の如く、表面を粗面にしたフィルムが採用されたりする。なお、本実施形態に他方の分離フィルム２０ｂ’には、ＰＰ（ポリプロピレン）フィルムが採用されており、その一方の面を粗面にしてイージーピール性を付与している。
【００９１】
さらに、本実施形態に係る米飯加工食品用包装材は、一方の分離フィルム２０ａ’の折り返された一端部、及び、他方の分離フィルム２０ｂ’の一端部が、該一方の分離フィルム２０ａ’の一端部の折り返しによって形成される稜線Ｌと前記シールライン２２’との間で、前記分離方向に対して交差方向に連続的又は断続的に弱シールされ、該弱シールされた部分２３’が剥離可能に構成されている。本実施形態においては、二枚の分離フィルム２０ａ’，２０ｂ’の一端部が、稜線Ｌと前記シールライン２２’との間で、分離方向に対して交差方向に間隔をあけて複数箇所に（断続的に）部分的な弱シール（ポイント弱シール）２３’…が施され、相互に剥離できるようになっている。
【００９２】
本実施形態に係る米飯加工食品用包装材は、シート状食品Ｓを介して上記構成の外フィルム１’及び内フィルム２’を重ね合わせ、上述の如く、外フィルム１’及び内フィルム２’の周縁部同士をシールすることで作製されている。なお、本実施形態に係る内フィルム２’は、一方の分離フィルム２０ａ’の一方の面（他方の分離フィルム２０ｂ’と対向する一端部の一方の面に連続し、折り返されることで他方の分離フィルム２０ｂ’と非対向状態にある面）が外フィルム１’（シート状食品Ｓ）と対向するように重ね合わされている。また、上述の如く、外フィルム１’の長手方向の両端部には、カットテープ１０’の端部の両側に切り込み１１’，１１’が入れられて把持片１２が形成されているため、該把持片１２を除いて外フィルム１’と内フィルム２’との周縁部同士をシールされている。
【００９３】
上記構成の米飯加工食品用包装材は、第一実施形態と同様に、内フィルム２’上に米飯加工食品Ｒを載置して長手方向で二つ折りにし、対向する周縁部同士をシールすることで、米飯加工食品Ｒを包装するようになっている（図４参照）。なお、本実施形態に係る米飯加工食品用包装材は、内フィルム２’上に米飯加工食品Ｒを載置して長手方向で二つ折りにし、その二つ折りにした部分における米飯加工食品Ｒと対向しない領域を、米飯加工食品Ｒに沿わせるように折り曲げた上で当該部分を粘着テープやシール材等の貼着手段で貼着することで、米飯加工食品Ｒを包装することもできる（図５参照）。
【００９４】
そして、何れの包装形態であっても、本実施形態に係る米飯加工食品用包装材は、上述の如く、二枚の分離フィルム２０ａ’，２０ｂ’の一端部が、前記分離方向に対して直交方向に延びる直線状のシールライン２２’を形成するように超音波シールされているので、該米飯加工食品Ｒからの水分が二枚の分離フィルム２０ａ’，２０ｂ’間を介して内フィルム２’と外フィルム１’との間に入り込むことがなく、シート状食品Ｓが水分で害されることもない。
【００９５】
また、米飯加工食品Ｒを包装するとき、或いは、米飯加工食品Ｒを包装した状態で運搬したり陳列したりするときに、内フィルム２’が変形したとしても、本実施形態に係る米飯加工食品用包装材は、一方の分離フィルム２０ａ’の折り返された一端部が、一端部の折り返しによって形成される稜線Ｌと前記シールライン２２’との間で、前記分離方向に対して交差方向に間隔をあけて複数箇所でポイント弱シール２３’…されているため、当該米飯加工食品用包装材（内フィルム２’）の変形に伴う引っ張り力がシールライン２２’に直接作用せず、分離フィルム１０ａ’の一端部が他方の分離フィルム２０ｂ’から無造作に捲り上がってシールライン２２’で切断されてしまうことが防止され、シート状食品Ｓが水分で害されるのを防止することができる。
【００９６】
上記構成の米飯加工食品用包装材は、上述の何れの包装形態であっても、外フィルム１’をカットテープ１０’で幅方向に二分した上で、該外フィルム１’（当該米飯加工食品用包装材）を幅方向の両側を離間方向に引っ張ることで、内フィルム２’がシールライン２２’で切断（分断）され、内外ともに幅方向に分離されてシート状食品Ｓと米飯加工食品Ｒとが一体的になる。
【００９７】
具体的には、本実施形態に係る米飯加工食品用包装材は、分離フィルム２０ａ’，２０ｂ’を接続するシールライン２２’を超音波シールで形成することで、図１０（ａ）及び図１０（ｂ）に示す如く、該シールライン２２’（実際にはシールライン２２’に対応する部分）の厚みが周辺よりも薄く形成されるため、内フィルム２’に対して幅方向（分離方向）に引っ張り力が作用すると、その力がシールライン２２’に集中して作用し、内フィルム２’（内フィルム２’を構成する分離フィルム）がシールライン２２’で切断されることになる。
【００９８】
本実施形態においては、内フィルム２’を構成する一方の分離フィルム２０ａ’の一端部が折り返されているので、上述の如く、内フィルム２’に対して分離方向に引っ張り力を作用させたとき、他方の分離フィルム２０ｂ’と対向する折り返された一端部が稜線Ｌ側から他方の分離フィルム２０ｂ’に対して離間して順々に捲り返され、折り返しによって形成される稜線Ｌが一方の分離フィルム２０ａ’の一端側に移行する。
【００９９】
そうすると、本実施形態に係る米飯加工食品用包装材は、一方の分離フィルム２０ａ’と他方の分離フィルム２０ｂ’とが弱シールされているため、稜線Ｌの移行に伴って、該弱シールされた部分２３’が剥離する。そして、さらに稜線Ｌが移行し、一方の分離フィルム２０ａ’の一端部（折り返された一端部）がシールライン２２’まで捲り返されると、他方の分離フィルム２０ｂ’から離間しようとする力が薄肉になったシールライン２２’に対して集中的に作用し、一方の分離フィルム２０ａ’が切断されることになる。すなわち、一端部を折り返すことで、開封時における内フィルム２’の面方向に沿った引っ張り力をその面に対して交差する方向に作用させることができ、分離フィルム２０ａ’を円滑に切断することができる。
【０１００】
そして、上述の如く、超音波シールによってシールライン２２’が形成される際に、該シールライン２２’に境界、或いは、該境界近傍において対向する面同士が溶着してしまうことがあるが、他方の分離フィルム２０ｂ’の一方の面（超音波シールされる領域）にイージーピール性が付与されているので、シールライン２２’で内フィルム２’が切断されるに際し、溶着してしまった部分が剥離し易く、対向する面同士の溶着が内フィルム２’の分離を阻害するのを防止することができる。
【０１０１】
上記構成の米飯加工食品用包装材における内フィルム２’は、当該内フィルム２’の連続体からなる長尺な内フィルム用原反を所定長さに切断することで作製されている。なお、外フィルム１’もこの連続体からなる長尺なフィルム（原反）を切断することで作製されるが、かかる原反は一般的なものである。
【０１０２】
そこで、本実施形態に係る内フィルム用原反についてのみ具体的に説明すると、内フィルム用原反は、図１１に示す如く、重ね合わされた二枚の長尺フィルム２００ａ’，２００ｂ’を備えている。
【０１０３】
前記二枚の長尺フィルム２００ａ’，２００ｂ’のそれぞれは、分離フィルム２０ａ’，２０ｂ’の連続体である。これにより、各長尺フィルム２００ａ’，２００ｂ’は、それぞれＰＰ（ポリプロピレン）フィルムで構成されており、長尺な帯状に形成されている。上記構成の長尺フィルム２００ａ’，２００ｂ’は、長手方向と直交する短手方向の一端側が互いに沿うように全体的に重ね合わされている。
【０１０４】
そして、二枚の長尺フィルム２００ａ’，２００ｂ’の一端部は、長尺方向に延びる直線状のシールライン２２０’を形成するように超音波シールされている。すなわち、二枚の長尺フィルム２００ａ’，２００ｂ’の一端部は、長手方向で所定長さに切断して内フィルム２’になった際の分離方向（外フィルム１’の分割方向）に対して交差方向（本実施形態においては直交方向）に真っ直ぐに延びるシールライン２２０’を形成するように超音波シールされている。
【０１０５】
このように、超音波シールされることで、二枚の長尺フィルム２００ａ’，２００ｂ’は、シールライン２２０’に対応する部分が周辺の厚みよりも薄くなっている。すなわち、二枚の長尺フィルム２００ａ’，２００ｂ’は、超音波シールによって線状に溶けるため、シールライン２２０’で極薄になっている。これにより、内フィルム用原反を長尺方向で所定長さに切断して内フィルム２’にしたときに、長尺フィルム２００ａ’，２００ｂ’（分離フィルム２０ａ’，２０ｂ’）を切断させることのできるシールライン２２０’（切断線）になるようになっている。
【０１０６】
そして、二枚の長尺フィルム２００ａ’，２００ｂ’の一端部において、重ね合わされることで互いに対向する面のうち、少なくとも何れか一つの面の少なくとも超音波シールされる領域にイージーピール性が付与されている。本実施形態に係る米飯加工食品用包装材は、上述の如く、一方の分離フィルム２０ａ’の一端部と対向する他方の分離フィルム２０ｂ’の一方の面にイージーピール性を付与するようにしているため、当該内フィルム用原反は、他方の長尺フィルム２００ｂ’の一方の長尺フィルム２００ａ’と対向する面にイージーピール性が付与されている。
【０１０７】
さらに、該内フィルム用原反は、一方の長尺フィルム２００ａ’の一端部、及び他方の長尺フィルム２００ｂ’の一端部が、前記シールライン２２０’よりも短手方向の他端側で連続的又は断続的に弱シールされている。本実施形態では、上記米飯加工食品用包装材に対応して、長尺方向に間隔をあけた複数箇所でポイント弱シール２３０’…されている。
【０１０８】
本実施形態に係る内フィルム用原反は、以上の構成からなり、長手方向で所定長さ（外フィルム１’の長手方向に長さに対応した長さ）に切断されることで、図１２（ａ）に示す如く、二枚の長尺フィルム２００ａ’，２００ｂ’が重なり合った（二枚の分離フィルム２０ａ’，２０ｂ’が重なり合った）内フィルム２’が作製される。そして、上述のように切断する前、又は、切断後（本実施形態では切断後）に、図１２（ｂ）に示す如く、何れか一方の長尺フィルム２００ａ’におけるシールライン２２０’よりも短手方向の他端側を折り返すことで、二枚の長尺フィルム２００ａ’，２００ｂ’（二枚の分離フィルム２０ａ’，２０ｂ’）が並列に配置された内フィルム２’となる。
【０１０９】
そして、シート状食品Ｓを介して該内フィルム２’と外フィルム１’とを重ね合わせ、シート状食品を囲むように外フィルム１’と内フィルム２’とをシールすることで上述した米飯加工食品用包装材が作製される。
【０１１０】
以上のように、本実施形態に係る米飯加工食品用包装材は、二枚の分離フィルム２０ａ’，２０ｂ’の一端部が、前記分離方向に対して交差方向に延びる直線状又は非直線状のシールライン２２’を形成するように超音波シールされているので、米飯加工食品Ｒからの水分が二枚の分離フィルム２０ａ’，２０ｂ’間を介して内フィルム２’と外フィルム１’との間に入り込むことがなく、シート状食品Ｓが水分で害されるのを防止することができる。また、シールライン２２’を超音波シールで形成することで、内フィルム２’（内フィルム２’を構成する分離フィルム２０ａ’）をシールライン２２’に沿って切断させることができる。その上、他方の分離フィルム２０ｂ’の一方の面にイージーピール性を付与しているので、シールライン２２’で内フィルム２’が切断されるに際し、溶着した部分が剥離し易く、対向する面同士の溶着が内フィルム２’の分離を阻害するのを防止することができる。
【０１１１】
また、一方の分離フィルム２０ａ’の一端部を他方の分離フィルム２０ｂ’側に折り返すようにしているので、一方の分離フィルム２０ａ’を円滑に切断することができる。
【０１１２】
さらに、一方の分離フィルム２０ａ’の折り返された一端部、及び他方の分離フィルム２０ｂ’の一端部が、該一方の分離フィルム２０ａ’の一端部の折り返しによって形成される稜線Ｌとシールライン２２’との間で、剥離可能に弱シールされているので、一方の分離フィルム２０ａ’の一端部が他方の分離フィルム２０ｂ’から無造作に捲り上がってシールライン２２’で切断されてしまうのを防止することができる。
【０１１３】
そして、本実施形態に係る内フィルム用原反は、内フィルム２’の連続体であるので、所定長さに切断することで、上述の作用及び効果を奏することのできる内フィルム２’を作製することができる。
【０１１４】
尚、本発明は、上記実施形態に限定されるものではなく、本発明の要旨を逸脱しない範囲内において種々変更を加え得ることは勿論である。
【０１１５】
上記第一実施形態において、二枚の分離フィルム２０ａ，２０ｂと中間フィルム２１とを直線状のシールライン２２を形成するように超音波シールするようにしたが、これに限定されるものではなく、例えば、図１３（ａ）及び図１３（ｂ）に示す如く、二枚の分離フィルム２０ａ，２０ｂと中間フィルム２１とを鋸刃状のシールライン２２ｂを形成するように超音波シールしたり、図１４（ａ）及び図１４（ｂ）に示す如く、二枚の分離フィルム２０ａ，２０ｂと中間フィルム２１とを波形状のシールライン２２ａを形成するように超音波シールしたりしてもよい。すなわち、二枚の分離フィルム２０ａ，２０ｂと中間フィルム２１とを非直線状のシールライン２２ａ，２２ｂを形成するように超音波シールするようにしてもよい。この場合において、内フィルム２を作製するための内フィルム用原反は、二枚の長尺フィルム２００ａ，２００ｂと中間長尺フィルム２１０とが長尺方向に延びる非直線状（波形状又は鋸刃状）のシールライン２２によって溶着される。
【０１１６】
また、第二実施形態において、二枚の分離フィルム２０ａ’，２０ｂ’を直線状のシールライン２２’を形成するように超音波シールするようにしたが、これに限定されるものではなく、例えば、図１５（ａ）及び図１５（ｂ）に示す如く、二枚の分離フィルム２０ａ’，２０ｂ’を鋸刃状のシールライン２２ｂ’を形成するように超音波シールしたり、図１６（ａ）及び図１６（ｂ）に示す如く、二枚の分離フィルム２０ａ’，２０ｂ’を波形状のシールライン２２ａ’を形成するように超音波シールしたりしてもよい。すなわち、内フィルム２’が二枚の分離フィルム２０ａ’，２０ｂ’で構成される場合についても、該二枚の分離フィルム２０ａ’，２０ｂ’を非直線状のシールライン２２ａ’，２２ｂ’を形成するように超音波シールするようにしてもよい。この場合において、内フィルム２’を作製するための内フィルム用原反は、二枚の長尺フィルム２００ａ’，２００ｂ’が長尺方向に延びる非直線状（波形状又は鋸刃状）のシールライン２２’によって溶着される。
【０１１７】
上記第一及び第二実施形態において、一方の分離フィルム２０ａ，２０ａ’の一端部を折り返すようにしたが、これに限定されるものではなく、例えば、互いの一端部が重なり合うように真っ直ぐな分離フィルム２０ａ，２０ｂ，２０ａ’，２０ｂ’を二枚並列に配設するようにしてもよい。このようにしても、内フィルム２，２’に切断線となるシールライン２２，２２’が形成されるので、分離フィルム２０ａ，２０ｂ，２０ａ’，２０ｂ’をシールライン２２，２２’で切断させることができる。
【０１１８】
上記第一実施形態において、一方の分離フィルム２０ａと対向する中間フィルム２１の一方の面にイージーピール性を付与するようにしたが、これに限定されるものではなく、内フィルム２を構成するフィルム（分離フィルム２０ａ，２０ｂ、中間フィルム２１）の積層部分であって、互いに対向する面の少なくとも何れか一面にイージーピール性を付与するようにすればよい。このようにすることで、上述の如く、シールライン２２を形成することで溶着した部分を優先的に剥離させることができ、そのイージーピール性の付与された面に隣接する分離フィルム２０ａ，２０ｂをシールライン２２で切断させることができる。従って、各面にイージーピール性を付与すれば、一方の分離フィルム２０ａに限らず、二枚の分離フィルム２０ａ，２０ｂの何れか一方が切断されることになる。
【０１１９】
上記第一実施形態において、二枚の分離フィルム２０ａ，２０ｂの一端部及び中間フィルム２１をシールライン２２と稜線Ｌとの間で弱シールするようにしたが、これに限定されるものではなく、この弱シールは必要に応じて施せばよい。但し、分離フィルム２０ａが不用意に切断されるのを防止するには、上記第一実施形態と同様に、一方の分離フィルム２０ａの一端部及び中間フィルム２１をシールライン２２と稜線Ｌとの間に弱シールすることが好ましいことは言うまでもない。シールライン２２と稜線Ｌとの間で弱シールする場合、例えば、二枚のフィルム２０ａ、２１（一方の分離フィルム２０ａ、中間フィルム２１）をシールライン２２と稜線Ｌとの間で弱シールするようにしてもよい。すなわち、分離フィルム２０ａの一端部を折り返す場合、少なくとも一方の分離フィルム２０ａの一端部及び中間フィルム２１をシールライン２２と稜線Ｌとの間に弱シールするようにすればよい。
【０１２０】
そして、少なくとも一方の分離フィルム２０ａの一端部及び中間フィルム２１をシールライン２２と稜線Ｌとの間に弱シールするに当り、断続的に弱シールしたものに限定されるものではなく、例えば、連続的（線状）に弱シールするようにしてもよい。
【０１２１】
また、第二実施形態においても同様に、シールライン２２と稜線Ｌとの間での弱シールは必要に応じて行えばよい。但し、この場合においても、二枚の分離フィルム２０ａ’，２０ｂ’の一端部をシールライン２２’と稜線Ｌとの間で連続的又は断続的に弱シールすることが好ましいことは言うまでもない。
【０１２２】
第一実施形態において、稜線Ｌから外方に延出する中間フィルム２１の他端側を他方の分離フィルム２０ｂにシールして固定するようにしたが、これに限定されるものではなく、例えば、中間フィルム２１の他端側を分離フィルム２０ｂに固定することなく重ね合わせた状態にしておいてもよい。但し、開封時の引っ張り力が作用したときに、中間フィルム２１が分離フィルム２０ｂから捲り上げられると、その引っ張り力がシールライン２２…に効率よく作用しにくくなるので、弱シールされる場合には、中間フィルム２１における弱シールされる部分２３…よりも短手方向の他端側を、弱シールされない場合には、中間フィルム２１におけるシールライン２２よりも短手方向の他端側を他方の分離フィルム２０ｂに固定することが好ましい。
【０１２３】
そして、上記第一実施形態において、中間フィルム２１の他端側が稜線Ｌよりも外方に延出するように構成したが、これに限定されるものではなく、幅（長手方向に対して直交方向（短手方向）の幅）をできるだけ狭くして、稜線Ｌから他端側が外方に延出させないように構成してもよい。この場合においても、上述の如く、中間フィルム２１の他端側を分離フィルム２０ｂに固定することが好ましいことは言うまでもない。また、中間フィルム２１の一端を分離フィルム２０ａ，２０ｂの一端に沿わせたものに限定されるものではなく、中間フィルム２１の一端側が分離フィルム２０ａ，２０ｂの一端よりも外側に延出するように配置されても特に問題はない。
【０１２４】
上記第一実施形態において、中間フィルム２１の一方の面の全面にイージーピール性を付与するようにしたが、これに限定されるものではなく、例えば、超音波シールされる領域のみにイージーピール性を付与するようにしてもよい。すなわち、二枚に分離フィルム２０ａ，２０ｂの一端部、及び中間フィルム２１の互いに重なり合って対向する面の少なくとも一つの面の少なくとも超音波シールされる領域にイージーピール性を付与するようにしてもよい。但し、上記第一実施形態のように、超音波シールに加えて分離フィルム１０ａと中間フィルム２１とを弱シールする場合には、その弱シールした部分２３…の剥離性を考慮して弱シールする部分２３…にもイージーピール性を付与することが好ましいことは言うまでもない。また、上記第二実施形態に係る構成も同様に、二枚に分離フィルム２０ａ’，２０ｂ’の一端部の互いに重なり合って対向する面の少なくとも一つの面の少なくとも超音波シールされる領域にイージーピール性を付与するようにしてもよい。
【図面の簡単な説明】
【０１２５】
【図１】本発明の第一実施形態に係る米飯加工食品用包装材の斜視図であって、包装対象となる米飯加工食品を含んだ斜視図を示す。
【図２】第一実施形態に係る米飯加工食品用包装材の分解斜視図であって、包装対象となる米飯加工食品を含んだ斜視図を示す。
【図３】第一実施形態に係る米飯加工食品用包装材の内フィルムの説明図であって、（ａ）は、断面図を示し、（ｂ）は、（ａ）のＡ部分の拡大断面図を示す。
【図４】第一実施形態に係る米飯加工食品用包装材で米飯加工食品を包装した状態の斜視図を示す。
【図５】第一実施形態に係る米飯加工食品用包装材で米飯加工食品を包装した状態の斜視図であって、図４に示す包装形態と異なる形態で包装した状態を示す。
【図６】第一実施形態に係る米飯加工食品用包装材の内フィルム用原反の斜視図を示す。
【図７】第一実施形態に係る米飯加工食品用包装材の内フィルム用原反の説明図であって、（ａ）は、ロールから引き出した状態の部分拡大斜視図を示し、（ｂ）は、一方の長尺フィルム（分離フィルム）を折り返して二枚の分離フィルムを並設させた状態の部分拡大斜視図を示す。
【図８】本発明の第二実施形態に係る米飯加工食品用包装材の斜視図であって、包装対象となる米飯加工食品を含んだ斜視図を示す。
【図９】第二実施形態に係る米飯加工食品用包装材の分解斜視図であって、包装対象となる米飯加工食品を含んだ斜視図を示す。
【図１０】第二実施形態に係る米飯加工食品用包装材の内フィルムの説明図であって、（ａ）は、断面図を示し、（ｂ）は、（ａ）のＢ部分の拡大断面図を示す。
【図１１】第二実施形態に係る米飯加工食品用包装材の内フィルム用原反の斜視図を示す。
【図１２】第二実施形態に係る米飯加工食品用包装材の内フィルム用原反の説明図であって、（ａ）は、ロールから引き出した状態の部分拡大斜視図を示し、（ｂ）は、一方の長尺フィルム（分離フィルム）を折り返して二枚の分離フィルムを並設させた状態の部分拡大斜視図を示す。
【図１３】本発明の他実施形態に係る米飯加工食品用包装材の内フィルム（原反）の説明図であって、（ａ）重ね合わされた二枚の分離フィルム（長尺フィルム）が中間フィルム（中間）を介して鋸刃状のシールラインを形成するように超音波シールされた状態を示し、（ｂ）は、（ａ）の状態から一方の分離フィルム（長尺フィルム）を折り返して内フィルムになった状態を示す。
【図１４】本発明の別の実施形態に係る米飯加工食品用包装材の内フィルム（原反）の説明図であって、（ａ）重ね合わされた二枚の分離フィルム（長尺フィルム）が中間フィルム（中間）を介して波形状のシールラインを形成するように超音波シールされた状態を示し、（ｂ）は、（ａ）の状態から一方の分離フィルム（長尺フィルム）を折り返して内フィルムになった状態を示す。
【図１５】本発明のさらに別の実施形態に係る米飯加工食品用包装材の内フィルム（原反）の説明図であって、（ａ）重ね合わされた二枚の分離フィルム（長尺フィルム）が鋸刃形状のシールラインを形成するように超音波シールされた状態を示し、（ｂ）は、（ａ）の状態から一方の分離フィルム（長尺フィルム）を折り返して内フィルムになった状態を示す。
【図１６】本発明のさらに別の実施形態に係る米飯加工食品用包装材の内フィルム（原反）の説明図であって、（ａ）重ね合わされた二枚の分離フィルム（長尺フィルム）が波形状のシールラインを形成するように超音波シールされた状態を示し、（ｂ）は、（ａ）の状態から一方の分離フィルム（長尺フィルム）を折り返して内フィルムになった状態を示す。
【符号の説明】
【０１２６】
１，１’…外フィルム、２，２’…内フィルム、１０，１０’…カットテープ、１１，１１’…切り込み、１２，１２’…把持片、２０ａ，２０ａ’…分離フィルム、２１，２１’…中間フィルム、２２，２２’…シールライン、２２ａ，２２ｂ…シールライン、２３，２３’…ポイント弱シール、２４…ポイントシール、２００ａ，２００ｂ，２００ａ’，２００ｂ’…長尺フィルム、２１０…中間長尺フィルム、２２０，２２０’…シールライン、２３０，２３０’…ポイント弱シール、２４０…ポイントシール、Ｓ…シート状食品、Ｒ…米飯加工食品
【図１】
2008207826.tif 000003
【図２】
2008207826.tif 000004
【図３】
2008207826.tif 000005
【図４】
2008207826.tif 000006
【図５】
2008207826.tif 000007
【図６】
2008207826.tif 000008
【図７】
2008207826.tif 000009
【図８】
2008207826.tif 000010
【図９】
2008207826.tif 000011
【図１０】
2008207826.tif 000012
【図１１】
2008207826.tif 000013
【図１２】
2008207826.tif 000014
【図１３】
2008207826.tif 000015
【図１４】
2008207826.tif 000016
【図１５】
2008207826.tif 000017
【図１６】
2008207826.tif 000018